(57)【特許請求の範囲】
【請求項１】
一端縁に沿って粘着部を有するシート状の電線保護部材を組電線上に巻き付けるときに、前記電線保護部材を通すことで、該電線保護部材を前記組電線に巻き付く形状に湾曲状態にさせることのできる巻き付け治具に該電線保護部材を装填した後、前記巻き付け治具を、前記粘着部が前記組電線の長手方向に沿うように対応させ、その後、前記電線保護部材の引き出し先端側の辺を、前記粘着部が他端縁側に接着するように前記組電線に巻き付けてから、前記巻き付け治具を、先に巻き付けた側とは反対側へ前記組電線に沿って移動させることにより、前記組電線に対して前記電線保護部材の全体を巻き付く形状に湾曲させることを特徴とする電線保護部材の巻き付け方法。
【請求項２】
少なくともシート状の電線保護部材を挿入する挿入口、並びに該挿入口から連続し且つ横断面形状が特定の湾曲形状の引出口を有する矯正路と、該矯正路の長手方向に沿い且つ前記引出口の形状に対応した溝とを備えており、前記電線保護部材を前記矯正路を通過させることにより、前記電線保護部材を前記引出口の形状に湾曲させることを特徴とする電線保護部材の巻き付け治具。
【請求項３】
前記挿入口は、前記矯正路の最終幅よりも大きく開口され、且つ矯正路内方に向かって入口幅を狭めるように傾斜した誘い込み面が設けられたことを特徴とする請求項２に記載の電線保護部材の巻き付け治具。
【発明の詳細な説明】
【０００１】
【発明の属する技術分野】
本発明は電線保護部材の巻き付け方法及び巻き付け治具に関し、さらに詳しくは、自動車の電装品やその他のエレクトロニクス製品などに使用されている組電線を束ねる電線保護部材の巻き付け方法及び巻き付け治具に関する。
【０００２】
【従来技術】
従来より、自動車の電装品やその他の各種エレクトロニクス製品などには、周知のごとく配線を束ねた組電線がある。たとえば自動車に用いられている電装品には点火および始動回路以外に照明、信号、警告、充電、計器、ワイパーその他多種多様な回路があり、これらの回路を結ぶ電線類は極めて多くなり、組み電線として束ねられる。また、これらの電装品を接続する電線類は、高度に発達した流れ作業を採用している自動車製造工程に適合する様に一体の部品として前もって組立てられ使用されている。
【０００３】
従来、その電線の束ね方は、電線の端部にコネクタが接続された状態あるいは配線が完了した状態において、ビニールテープや粘着テープ等の電線保護部材を電線の束に巻きつけて固定する方法が多用されている。
しかしながら、多くの場合、数十本とある電線を粘着テープで巻き付け固定する作業は手間がかかる。そこで、図７に示すような比較的幅広い電線保護部材１０が用いられている。
【０００４】
図７に示す電線保護部材１０は、その一端に辺に沿って粘着部１５が設けられた矩形状のシート部材である。そして、この電線保護部材１０を巻き付けるときは、例えば、組電線２０の端部にコネクタ３０が取り付けられた状態において、先ず、図７の（ａ）に示すごとく、電線保護部材１０を、その粘着部１５が組電線２０の長手方向に沿うように対応させ、その後、図７の（ｂ）に示すように、粘着部１５設けられていない側の辺１２を先に巻き付けるように曲げ、該辺１２を押さえながら粘着部１５が設けられた側の辺１１を重ね合わせるようにし、最後に、辺１１に沿った部分の全域を手で上から擦るようにする。
このような操作によって、電線保護部材１０は、粘着部１５により、両辺１１、１２が接続され、図７の（ｃ）に示すように、場合によってはシワ１９などができるものの、組電線２０を適宜束ねるとともに、所定な長さを保護できるように装着される。
【０００５】
この種の電線保護部材としては、種々の形態のものが提案されている。例えば、実開昭５４- １５９１７９号公報には、“一方端部と他端部とを嵌着して筒形にして電線束を束ねる電線集合体”が、実開昭５８- ８１９９０号公報には、“ビニールシート等のカバー素材の両端縁を重ね合わせて電線に巻回して、該電線を束ねるカバー部材”が、実開昭６０- ２１１１４号公報には、“熱収縮性フイルムの一端に粘着剤層を設けて電線束を束ねる結束用フイルム”が記載されている。
【０００６】
【発明が解決しようとする課題】
しかしながら、実開昭５４- １５９１７９号公報に記載された技術においては、端部同士の嵌着構造であるので、部材自身の構造が複雑なること、組電線の束の太さごとに合わせたサイズの電線保護部材が必要となるなど、極めて不経済である。
また、実開昭５８- ８１９９０号公報に記載された技術においては、図７に示した部材と同様に、比較的幅のあるシート状の電線保護部材を電線に巻き付ける作業であることから、電線長さ方向の長さが大きくなればなる程（保護領域が長い程）図７の（ｃ）に示すようなシワ１９等の巻ムラが発生し易く、巻き付け作業に多大な時間要する。特に、外気が低温の場合には、電線ならびに電線保護部材が硬化することから、巻き付け作業は極めて困難であった。
また、実開昭６０- ２１１１４号公報に記載された技術においては、熱収縮性のフィルムに素材が限定されるだけでなく、加熱工程とういう極めて面倒な作業工程を必要とし、また、加熱手段を必要とするなど、作業環境が限定される等の問題を抱えている。
【０００７】
本発明は、上記問題点に鑑みてなされたものであり、電線を束ねて組上げる際に、比較的長い領域を覆う電線保護部材であっても、巻きムラの発生を抑えることができ、巻き付けが容易にできる電線保護部材の巻き付け方法及び巻き付け治具を提供することを目的とする。
【０００８】
【課題を解決するための手段】
本発明に係る電線保護部材の巻き付け方法は、一端縁に沿って粘着部を有するシート状の電線保護部材を組電線上に巻き付けるときに、前記電線保護部材を通すことで、該電線保護部材を前記組電線に巻き付く形状に湾曲状態にさせることのできる巻き付け治具に該電線保護部材を装填した後、前記巻き付け治具を、前記粘着部が前記組電線の長手方向に沿うように対応させ、その後、前記電線保護部材の引き出し先端側の辺を、前記粘着部が他端縁側に接着するように前記組電線に巻き付けてから、前記巻き付け治具を、先に巻き付けた側とは反対側へ前記組電線に沿って移動させることにより、前記組電線に対して前記電線保護部材の全体を巻き付く形状に湾曲させることを特徴とし、これにより上記目的を達成することができる。
【０００９】
本発明に係る電線保護部材の巻き付け治具は、少なくともシート状の電線保護部材を挿入する挿入口、並びに該挿入口から連続し且つ横断面形状が特定の湾曲形状の引出口を有する矯正路と、該矯正路の長手方向に沿い且つ前記引出口の形状に対応した溝とを備えており、前記電線保護部材を前記矯正路を通過させることにより、前記電線保護部材を前記引出口の形状に湾曲させることを特徴とし、これにより上記目的を達成することができる。
【００１０】
また、本発明に係る上記電線保護部材の巻き付け治具において、前記挿入口は、前記矯正路の最終幅よりも大きく開口され、且つ矯正路内方に向かって入口幅を狭めるように傾斜した誘い込み面が設けられたことを特徴とする。
【００１１】
本発明に係る上記電線保護部材の巻き付け方法によれば、一端縁に沿って粘着部を有するシート状の電線保護部材を組電線上に巻き付けるときに、巻き付け治具に該電線保護部材を装填してから該治具を組電線に沿わせ、その後、前記電線保護部材の引き出し先端側の辺を、前記粘着部が他端縁側に接着するように組電線に巻き付けることにより、巻き付け開始部分が形成される。その後、巻き付け治具を、先に巻き付けた側とは反対側へ前記組電線に沿って移動させることにより、組電線に対して電線保護部材の全体を巻き付く形状に湾曲させることができ、粘着部による最終的な接着を容易にする。
【００１２】
本発明に係る上記電線保護部材の巻き付け治具によれば、シート状の電線保護部材を挿入する挿入口、並びに該挿入口から連続し且つ横断面形状が特定の湾曲形状の引出口を有する矯正路を備えているので、電線保護部材をこの矯正路を通過させるだけで、電線保護部材を引出口の形状に湾曲させることができる。
したがって、組電線に沿った位置において、巻き付け治具内に電線保護部材を通すように操作することにより、電線保護部材の一端縁と他端縁（両端縁とも組電線に沿った端縁）とを接着可能な位置まで湾曲させることができる。
【００１３】
また、本発明に係る上記電線保護部材の巻き付け治具において、前記矯正路に沿った溝が設けられたことにより、該溝に組電線を受容することができ、これにより、組電線と電線保護部材をより接近させることができるので、組電線への電線保護部材の巻き付けが極めて容易になる。
【００１４】
また、本発明に係る上記電線保護部材の巻き付け治具において、前記挿入口が、前記矯正路の最終幅よりも大きく開口され、且つ誘い込み面が設けられたことにより、電線保護部材の矯正路への装填が容易になる。
【００１５】
【発明の実施の形態】
以下、本発明に係る電線保護部材の巻き付け方法及び巻き付け治具の好適な実施の形態について図１〜図５を参照して詳細に説明する。
なお、図１は、本実施の形態の巻き付け治具を示す斜視図であり、図２は図１に示す巻き付け治具の引出口側から見た正面図であり、図３、図４は巻き付け方法を示す工程図である。
【００１６】
図１および図２に示す本実施の形態における巻き付け治具１は、直方体の一端面に溝８を有する外観形状であり、その長手方向には、シート状の電線保護部材１０（図２参照）を挿入を通すことができる矯正路２が貫通している。
ここで、電線保護部材１０を挿入する側の挿入口４は、直線状の開口であり、一方、引出口５は、“Ｊ”字状或いは“Ｕ”字状とも言える形状の開口に構成されている。
したがって、矯正路２は挿入口４から引出口５に向かって徐々に該引出口５の形状に近づくようは滑らかな曲線面を有した構成となっている。
【００１７】
このように、横断面形状が特定の湾曲形状の引出口５を有する矯正路２によれば、電線保護部材１０を該矯正路２を通過させるだけで、引出口５の形状に湾曲させることができる。
【００１８】
また、本実施の形態における溝８は、矯正路２の長手方向に沿いかつ引出口５の形状に対応した横断面形状である。したがって、溝８に組電線２０を受容することにより（図２参照）、組電線２０と電線保護部材１０をより接近させることができる。
【００１９】
また、本実施の形態における巻き付け治具１は、その素材に関しては、特に限定されるものではないが、例えばポリエチレンテレフタレート（ＰＥＴ）あるいはポリオキシメチレン（ＰＯＭ）  等の合成樹脂により構成することにより成形しやすい。また、巻き付け治具１を成形する際に、該治具１を矯正路２の部分で上下に分割した部分を別々に成形してから、組み合わせるようにすることができる。
【００２０】
以下、本発明に係る電線保護部材の巻き付け方法を、図２〜図４を参照して説明する。まず、図３の（ａ）に示すように、電線保護部材１０の一方の辺１３を巻き付け治具１に設けられた挿入口４に押し込む。この操作により、電線保護部材１０は、その辺１３が、引出口５より“Ｕ”字状になり引き出される。
【００２１】
この状態（図３の（ｂ）に示す状態）で、組電線２０と溝８とを対応させるように移動（矢印Ｙ方向への移動）し、図４の（ｃ）巻き付け治具１を組電線２０に被せる。そして、引出口５より突出している“Ｕ”字状の辺１３を指で押さえながら丸め（矢印Ｚ方向）、電線保護部材１０の辺１３を重複させる（図４の（ｄ）に示す状態）。
【００２２】
なお、電線保護部材１０には、予めその一端縁１１に沿って粘着部１５が設けられているので、重ね合わされた辺１３は、一端縁１１を上にして丸めて、合わせて指で押す操作により、一端縁１１の一部と他端縁１２とが接着される。
【００２３】
このように、接着された電線保護部材１０の辺１３を押さえたまま、巻き付け治具１を矢印Ｘ方向へスライドさせながら、“Ｕ”字状になった電線保護部材１０をところどころ（粘着部１５が設けられた領域）を指で押さえながら、電線保護部材１０が完全に露出するまで該治具１をスライドさせる（図４の（ｅ）に示す状態）。
その後、必要に応じて、もう一度、粘着部１５が設けられた領域を指でなぞって粘着確認をする。
【００２４】
本発明に係る巻き付け治具は、図５および図６に示すような他の実施の形態であってもよい。なお、図６は、図５に示すＢ−Ｂ線に沿った部分の断面図であり、また、図５、図６においては、図１に示した実施の形態と同じ構成要素については図１と同符号を付し説明を省略する。
【００２５】
また、本実施の形態の電線保護部材の巻き付け治具１Ａは、挿入口４が、矯正路２の最終幅Ｗ（実質的な幅）よりも大きい幅Ｗ０に開口されており、さらに、誘い込み面９が設けられている。本実施の形態における巻き付け治具１Ａは、前記構成以外は図１に示すものと同様な構成である。
したがって、本実施の形態の場合、電線保護部材１０を矯正路２に挿入するとき、開口が広くかつ誘い込み面９があるので、極めて容易に挿入ができる。
【００２６】
本発明に係る巻き付け治具は、例えば外観形状、矯正路の引出口の形状は前掲の実施の形態に限るものではなく、適宜変更可能であることは勿論である。
【００２７】
【発明の効果】
以上説明したように、本発明に係る電線保護部材の巻き付け方法及び巻き付け治具によれば、該巻き付け治具を使用して、電線保護部材を組電線上への最終巻き付けの直前状態までに安定してセッティングすることができるので、電線保護部材の巻き付けにバラツキ（巻きムラ）が殆どなく、短時間で済み品質、作業性が向上する。特に、本発明に係る電線保護部材の巻き付け方法及び巻き付け治具によれば、電線保護部材が長くなればなるほど（組電線を保護する部位が長くなればなるほど）その効果は顕著であり、また、低温期において、組電線や電線保護部材が比較的硬くなった状態において顕著な効果を発揮することができる。
【図面の簡単な説明】
【図１】本発明に係る巻き付け治具の一実施の形態を示す斜視図である。
【図２】図１における引出口側から見た正面図である。
【図３】本発明に係る電線保護部材の巻き付け方法の工程の前段を（ａ）、（ｂ）の順で示す斜視図である。
【図４】本発明に係る電線保護部材の巻き付け方法の工程の中段および後段を（ｃ）、（ｄ）、（ｅ）の順で示す斜視図である。
【図５】本発明に係る電線保護部材の巻き付け治具の他の実施の形態を示す斜視図である。
【図６】図５におけるＢ−Ｂ線に沿った部分の断面図である。
【図７】従来の電線保護部材の巻き付け方法を示す概略斜視図である。
【符号の説明】
１、１Ａ  巻き付け治具
２  矯正路
４  挿入口
５  引出口
８  溝
９  誘い込み面
１０  電線保護部材
１１  電線保護部材の一端縁
１２  電線保護部材の他端縁
１３  巻き付け開始側の辺
１４  巻き付け終端側の辺
１５  粘着部
２０  組電線
３０  コネクタ
【図１】
0003901286.tif 000002
【図２】
0003901286.tif 000003
【図３】
0003901286.tif 000004
【図４】
0003901286.tif 000005
【図５】
0003901286.tif 000006
【図６】
0003901286.tif 000007
【図７】
0003901286.tif 000008